(57)【特許請求の範囲】
【請求項１】
各部屋の入退室扉の各々に設けられた電気錠と、
前記各部屋内に設けられ、前記入退室扉に設けられた電気錠を解錠するために操作する電気錠解錠手段と、
前記各部屋の入退室扉の各々に設けられた電気錠の各々、及び、前記各部屋内に設けられた電気錠解錠手段の各々に通信回線を介して接続されたセンター装置とを備え、
前記電気錠解錠手段は、複数の操作キーを備え、前記複数の操作キーを操作し、前記複数の操作キーの入力操作によって入力された暗証番号が、入退室扉に設けられた電気錠を解錠する暗証番号と一致した時に、前記入退室扉に設けられた電気錠を解錠し、且つ、前記センター装置側で、前記各部屋の入退室扉の各々に設けられた電気錠を解錠するための暗証番号を設定できるようにし、
前記各々の電気錠解錠手段の複数の操作キーの１個の操作キーは、確定キーとされており、前記各部屋の入退室扉の各々に設けられた電気錠を解錠する暗証番号は、前記複数の操作キーの中、確定キーとされた１個の操作キーを除く、残りの操作キーにより設定されるようになっており、前記確定キーとされる１個の操作キーが、前記センター装置側で、任意に選択設定できるようにされていることを特徴とする入退室管理システム。
【請求項２】
前記各部屋内に設けられた火災感知器と、前記各部屋内に設けられた火災感知器のいずれかが、発報した際に、火災警報を発令する火災受信機とを更に備え、前記火災受信機が、前記センター装置に通信回線を介して接続されており、前記センター装置は、前記火災受信機から発令された火災警報を受信すると、前記各部屋の入退室扉の各々に設けられた電気錠の各々に対して、強制解錠信号を出力するようにされている、請求項１に記載の入退室管理システム。
【請求項３】
前記センター装置に、看護人等の呼出しに使用する呼出機が更に接続されていることを特徴とする、請求項１又は請求項２に記載の入退室管理システム。
【請求項４】
各部屋の入退室扉の各々に設けられた電気錠は、いずれも、対応する入退室扉が閉まるとオートロックするようにされており、前記各部屋内に設けられ、前記各部屋の入退室扉の各々に設けられた電気錠を解錠する電気錠解錠手段の複数の操作キーより入力操作によって入力された暗証番号が、前記各部屋の入退室扉の各々に設けられた電気錠を解錠する暗証番号と一致した時に、その電気錠が解錠された時から一定時間経過しても、対応する入退室扉が開かれない時には、再び施錠するようにした、請求項１〜３のいずれかに記載の入退室管理システム。
【請求項５】
前記各部屋の外に、前記各部屋の入退室扉の各々に設けられた電気錠を解錠する電気錠解錠手段を更に備える、請求項１〜４のいずれかに記載の入退室管理システム。
【請求項６】
前記各部屋の外に設けられる電気錠解錠手段が、磁気カードを読み取るカードリーダである、請求項５に記載の入退室管理システム。
【請求項７】
前記各部屋の外に設けられる電気錠解錠手段が、複数の操作キーを備え、前記複数の操作キーを操作し、前記複数の操作キーの入力操作によって入力された暗証番号が、前記各部屋の入退室扉の各々に設けられた電気錠を解錠する暗証番号と一致した時に、前記各部屋の入退室扉の各々に設けられた電気錠が解錠するようにされている、請求項５に記載の入退室管理システム。
【発明の詳細な説明】
【０００１】
【発明の属する技術分野】
本発明は、入退出管理システムに関し、特に、部屋（室）の内側に設けられた電気錠解錠手段に正しい暗証番号を入力しないと、電気錠の解錠ができないようにした、入退出管理システムに関する。
【０００２】
【従来の技術】
従来の入退出管理システムは、部屋の入退室扉は、室外からの不法な侵入者を防ぐことを目的として開発されている。このため、例えば、オートロック式のものにあっては、部屋（室）の外側から、室内に入るには、カードリーダに磁気カードを読み込ませる等の操作をして、電気錠を施錠状態から解錠状態にしなければ、入退室扉を開けることができないようになっている。その一方、室内側からは、簡単に、施解錠できるようになっている。
【０００３】
図１５は、そのような従来の入退出管理システムの一例を模式的に示すブロック図である。また、図１６は、ある部屋（例えば、病室、以下、単に、「部屋」という）Ｒの入退出扉の周辺の外観構成を模式的に示す説明図であり、図１６（ａ）は、ある部屋Ｒの入退出扉の周辺を部屋外から見た状態を示す説明図であり、また、図１６（ｂ）は、ある部屋Ｒの入退出扉の周辺を部屋内から見た状態を示す説明図である。
【０００４】
尚、図１５及び図１６では、老人養護施設に入退室管理システム１０１を適用した例を示している。従来の入退出管理システム１０１は、図１５及び図１６に示すように、部屋Ｒ、・・・の外側に、例えば、磁気カードを読み取るカードリーダ１０５が設けられている。
【０００５】
そして、部屋Ｒ、・・・の各々の外側に設けられたカードリーダ１０５に磁気カード（図示せず）を差し込んで、磁気カードを読みこませると、この情報が、センター装置ＰＣに送られるようになっている。そして、センター装置ＰＣで、カードリーダ１０５が磁気カードから読み取った暗証番号が、電気錠１０３、・・・の各々を解錠するための暗証番号として予め個別に設定された暗証番号と一致する判断されると、センター装置ＰＣから暗証番号が一致すると判断された電気錠３に解錠信号が送出され、これにより、暗証番号が一致すると判断された電気錠１０３が解錠し、入退室扉Ｄ、・・・の各々が開閉できるようになり、部屋Ｒ、・・・内に人が入れるようになっている。
【０００６】
そして、入退室扉Ｄ、・・・の各々は、人が部屋Ｒ、・・・内に入り、再び、入退室扉Ｄ、・・・の各々が閉じられると、電気錠１０３、・・・の各々が自動的に施錠状態（オートロック）になり、部屋（室）の外側のノブＫｏを回しても、入退室扉Ｄ、・・・を開くことができないようになっている。一方、部屋Ｒ、・・・内側の入退室扉Ｄ、・・・の各々のノブＫｉには、例えば、シリンダ錠ｓが設けられており、シリンダ錠ｓを解錠状態にしておくと、いつでも、部屋Ｒ、・・・の内側から、入退室扉Ｄ、・・・を開くことができるようになっている。
【０００７】
また、シリンダ錠ｓを施錠状態にすると、ノブＫｉが固定され、部屋Ｒ、・・・内からも、入退室扉Ｄ、・・・を開くことができないようになっている。尚、図１５中、Ｌで示す部材装置は、通信回線を、又、１１３で示す部材装置は、中継器を、各々、示しており、部屋Ｒ、・・・の各々に設けられた電気錠１０３、・・・の各々、及び、カードリーダ１０５、・・・の各々と、センター装置ＰＣとは、信号のやりとりができるようになっている。
【０００８】
また、１１４で示す部材装置は、エレベータの各階毎に設置される外扉を、又、１１５で示す部材装置は、エレベータの呼出釦を、各々、示しており、エレベータは、呼出釦１１５を押し操作すれば、エレベータの客室が、呼出釦１１５を押し操作された階にきて停止した時に、外扉１１４が開き、エレベータの客室に人が乗り込むことができるようになっている。
【０００９】
【発明が解決しようとする課題】
しかしながら、図１５に示すような、従来の入退出管理システム１０１を、老人養護施設に設置すると、従来の入退出管理システム１０１は、上述したように、部屋Ｒ、・・・の各々内に、人が勝手に入ることを防止することを主眼にして構成されているため、例えば、徘徊癖のある入居者等（例えば、痴呆レベルが、重度の老人等の介護を受けることが必要とする者、以下、単に、入居者等という）が、部屋Ｒ、・・・を抜け出してしまう場合や、更には、エレベータに勝手に乗り込んで、別の階へ移動したり、場合によっては、老人養護施設から、外に勝手に出ていって、行方不明になったり、交通事故に遭うといったような虞れがある。
【００１０】
また、例えば、ある部屋Ｒに、複数の入居者等がいる場合にあっては、看護人等（例えば、医師、看護婦、ヘルパー等の看護人、以下、単に、看護人等という）が、ある入居者等のケアをしている間に、他の入居者等が、部屋Ｒを抜け出してしまうという場合もある。更には、看護人等が、ある入居者等に日光浴をさせようとして、ベランダＶに、入居者等とともに出ている間に、他の入居者等が、ベランダＶに通じる入退出扉Ｄｖに内側から錠を掛けてしまう場合があり、かかる場合、看護人等は、入退出扉Ｄｖの錠を開ける鍵を持っていれば、その鍵を使って、ベランダＶから、部屋Ｒに戻れるが、たまたま、鍵を持っていない場合等には、助けがくるまで、入居者等とともに、看護人等が、ベランダＶに放置されてしまう、といった問題があり、このような事態が発生すると、看護人等の業務に支障が生じ、円滑な入居者等のケアができなくなる、といった問題が生じる。
【００１１】
本発明は、以上のような問題を解決するためになされたものであって、今後、高齢化に伴って増加するであろう老人介護施設等に入居する入居者等が、安全且つ快適に過ごすことができるとともに、看護人等にとっても使いやすく、看護人等の業務に支障が生じ難い、新規な構成の入退室管理システムを提供することを目的とする。
【００１２】
【課題を解決するための手段】
請求項１に記載の入退室管理システムは、各部屋の入退室扉の各々に設けられた電気錠と、各部屋内に設けられ、入退室扉に設けられた電気錠を解錠するために操作する電気錠解錠手段と、各部屋の入退室扉の各々に設けられた電気錠の各々、及び、各部屋内に設けられた電気錠解錠手段の各々に通信回線を介して接続されたセンター装置とを備え、電気錠解錠手段は、複数の操作キーを備え、複数の操作キーを操作し、複数の操作キーの入力操作によって入力された暗証番号が、入退室扉に設けられた電気錠を解錠する暗証番号と一致した時に、入退室扉に設けられた電気錠を解錠し、且つ、センター装置側で、各部屋の入退室扉の各々に設けられた電気錠を解錠するための暗証番号を設定できるようにし、各々の電気錠解錠手段の複数の操作キーの１個の操作キーは、確定キーとされており、各部屋の入退室扉の各々に設けられた電気錠を解錠する暗証番号は、複数の操作キーの中、確定キーとされた１個の操作キーを除く、残りの操作キーにより設定されるようになっており、確定キーとされる１個の操作キーが、センター装置側で、任意に選択設定できるようにされている。
【００１３】
ここで、電気錠解錠手段は、複数の操作キーの数は、少なくとも３個以上で構成するのが好ましく、少なくとも３個以上で構成される複数の操作キーの１個を確定キーにするのが好ましい。
【００１４】
この入退室管理システムでは、複数の操作キーを備える電気錠解錠手段を設けるようにし、複数の操作キーの入力操作によって入力された暗証番号が、その部屋の入退室扉の各々に設けられた電気錠を解錠する暗証番号と一致した時に限り、電気錠が解錠するようにしている。これにより、電気錠解錠手段の複数の操作キーの入力操作が正しく行われない限り、入退室扉が開くことはないので、入居者等が、部屋を出て行くといった事態が生じない。
【００１５】
ここで、本明細書で用いる用語、「暗証番号を設定できる」中の「設定」は、最初の暗証番号の設定と、ある暗証番号が設定された後に、必要により行う、暗証番号の変更とを含む、の意味で用いている。ところで、このような入退室管理システムでは、電気錠解錠手段の入力操作が、入居者等に知られてしまうと、入居者等が、自由に部屋から出てしまうという問題が生じる。
【００１６】
請求項１に記載の入退室管理システムは、このような問題を解決するためになされたものであって、この入退室管理システムでは、各部屋の電気錠の各々を解錠するための暗証番号を、センター装置側で設定できるようにしているので、センター装置側で、各部屋の電気錠の各々を解錠するための暗証番号を、変更することができるようにしている。
【００１７】
これにより、電気錠の各々を解錠するための、ある暗証番号を入居者等が覚え、部屋から出て行くといった事態が頻発するようになれば、電気錠の各々を解錠するための暗証番号を他の暗証番号に随時変更することで、入居者等が、部屋から出て行くといった事態が発生するのを防止することができる。
【００１８】
また、請求項１に記載の入退室管理システムでは、電気錠解錠手段の各々の複数の操作キーの１個の操作キーを確定キーとしている。これにより、電気錠解錠手段の各々の複数の操作キーから入力された暗証番号の最初から最後までを、センター装置で容易に識別できるため、センター装置側で、容易に、電気錠解錠手段の各々の複数の操作キーが正しく操作されたか、されなかったかを、判別できるようになるので、そのような正しい判別結果に基づいて、各部屋の入退室扉の各々に設けられた電気錠を解錠を制御することで、エラーの少ない、入退室管理システムを簡単に構築できる。
【００１９】
また、電気錠解錠手段の各々の複数の操作キーの中、確定キーが一つあることを、入居者等に知られてしまうと、確定キーを固定的にしている場合には、最後に押し操作されるのが、確定キーであって、その確定キーが押される前に入力されている操作キーの順番が、暗証番号であるということを、入居者等に簡単に知られてしまい、入居者等が、部屋（室）の内側に設けられた電気錠解錠手段の各々の複数の操作キーを、正しく操作して、部屋から出てしまう、といった事態が頻発するようになる。
【００２０】
しかし、請求項１に記載の入退室管理システムでは、確定キーとされる１個の操作キーを、センター装置により、任意に選択できるようにされているため、電気錠の各々を解錠するための、ある暗証番号を入居者等が覚え、部屋から出て行くといった事態が頻発するようになれば、センター装置側で、確定キーを変更することで、入居者等が、部屋から出て行くといった事態が発生するのを防止することができる。
【００２１】
請求項２に記載の入退室管理システムは、請求項１に記載の入退室管理システムが、各部屋内に設けられた火災感知器と、各部屋内に設けられた火災感知器のいずれかが、発報した際に、火災警報を発令する火災受信機とを更に備え、センター装置は、火災受信機から発令された火災警報を受信すると、各部屋の入退室扉の各々に設けられた電気錠の各々に対して、強制解錠信号を出力するようにされている。
【００２２】
ところで、この入退室管理システムのように、部屋（室）の内側から、その部屋の入退出扉を開く際に、所定の手続きを踏まなければ、入退出扉を開けることができないようにすると、火災等の緊急事態が生じた際に、看護人等や入居者等がパニックになり、部屋（室）の内側から、入退出扉を開くことができなくなる、といった虞れがある。
【００２３】
請求項２に記載の入退室管理システムは、このような事態が生じないようにするために提案されるものであって、この入退室管理システムでは、センター装置が、火災受信機から発令された火災警報を受信すると、各部屋の入退室扉の各々に設けられた電気錠の各々に対して、強制解錠信号を出力するようにしている。これにより、火災等の緊急事態には、部屋（室）の内側の、例えば、ノブを回すだけで、部屋（室）外にでられるので、室内に、入居者等や看護人等が取り残されるといった事態が一切発生しない。
【００２４】
請求項３に記載の入退室管理システムは、請求項１又は請求項２に記載の入退室管理システムに、看護人等の呼出しに使用する呼出機が更に接続されていることを特徴とする。ここで、「呼出機」としては、例えば、有線又は無線のインターホンや、構内交換機（ＰＢＸ）が採用できる。
【００２５】
呼出機を接続する場合には、センター装置の記憶手段に、看護人等に持たせるポケットベルや携帯式移動電話の番号を登録しておき、例えば、緊急事態が発生した場合に、センター装置より自動的に、看護人等に持たせるポケットベルや携帯式移動電話の呼出を行うようにしてもよい。この入退室管理システムでは、看護人等の呼出しに使用する呼出機を更に接続しているので、緊急事態等が発生した場合には、呼出機を通じて、看護人等を呼び出すことができる。
【００２６】
請求項４に記載の入退室管理システムは、請求項１〜３のいずれかに記載の入退室管理システムの、各部屋の入退室扉の各々に設けられた電気錠は、いずれも、対応する入退室扉が閉まるとオートロックするようにされており、各部屋内に設けられ、各部屋の入退室扉の各々に設けられた電気錠を解錠する電気錠解錠手段の複数の操作スイッチの入力操作によって入力された暗証番号が、各部屋の入退室扉の各々に設けられた電気錠を解錠する暗証番号と一致した時の、各部屋の入退室扉の各々に設けられた電気錠を、その電気錠が解錠された時から一定時間経過しても、対応する入退室扉が開かれない時には、再び施錠するようにした。
【００２７】
ところで、電気錠解錠手段の複数の操作スイッチの入力操作が、各部屋の入退室扉の各々に設けられた電気錠を解錠する暗証番号と一致した場合に、いつまでも、電気錠を解錠したままにしておくと、電気錠が解錠されている間は、部屋（室）の内側の入居者等が、何時でも好きなときに、部屋から出て行くことができてしまう。
【００２８】
請求項４に記載の入退室管理システムは、このような事態が生じないようにするために提案されるものであって、この入退室管理システムでは、電気錠解錠手段の複数の操作スイッチの入力操作によって入力された暗証番号が、各部屋の入退室扉の各々に設けられた電気錠を解錠する暗証番号と一致した場合に、いつまでも、電気錠を解錠したままにするのではなく、電気錠が解錠されてから所定の時間内に、電気錠を再び施錠するようにしている。
【００２９】
これにより、所定時間が経過後は、部屋（室）の内側の入居者等が、部屋から出て行けなくなる。これにより、入居者等が、部屋から抜け出して、行方不明になったり、事故に遭うといったような、ゆゆしき事態が発生するのを防止することができる。
【００３０】
請求項５に記載の入退室管理システムは、請求項１〜４のいずれかに記載の入退室管理システムの、各部屋（室）外に、各部屋の入退室扉の各々に設けられた電気錠を解錠する電気錠解錠手段を更に備える。
【００３１】
この入退室管理システムでは、部屋（室）の外側より、各部屋の入退室扉の各々に設けられた電気錠を解錠する電気錠解錠手段を設けている。これにより、部屋（室）内に入ることができる者は、部屋（室）の外側に設けられた電気錠解錠手段の正しい操作を知っている者（例えば、看護人等）に限られるので、泥棒等が、室内に不法に侵入することがない。これにより、入居者等の安全性が保証される。
【００３２】
また、部屋（室）の外側より、室内に入ることができる者は、部屋（室）の外側に設けられた電気錠解錠手段の正しい操作を知っている者（例えば、看護人等）に限られるので、入居者等のプライバシーも保証される。
【００３３】
請求項６に記載の入退室管理システムは、請求項５に記載の入退室管理システムの、各部屋の外側に設けられる電気錠解錠手段が、磁気カードを読み取るカードリーダであることを特徴としている。
【００３４】
この入退室管理システムでは、部屋（室）の外側に設けられる電気錠解錠手段として、磁気カードを読み取るカードリーダを設けている。これにより、室内に入ることができる者は、正しい磁気カードを持っている者（例えば、看護人等）に限られるので、泥棒等が、室内に不法に侵入することがない。これにより、入居者等の安全性が保証される。
【００３５】
また、部屋（室）の外側より、室内に入ることができる者は、正しい磁気カードを持っている者（例えば、看護人等）に限られるので、入居者等のプライバシーも保証される。
【００３６】
請求項７に記載の入退室管理システムは、請求項５に記載の入退室管理システムの、各部屋の外に設けられる電気錠解錠手段が、複数の操作キーを備え、複数の操作キーを操作し、複数の操作キーの入力操作によって入力された暗証番号が、各部屋の入退室扉の各々に設けられた電気錠を解錠する暗証番号と一致した時に、各部屋の入退室扉の各々に設けられた電気錠が解錠するようにされている。
【００３７】
この入退室管理システムでは、部屋（室）の外側に設けられる電気錠解錠手段として、複数の操作キーを備えたものを設けている。これにより、室内に入ることができる者は、複数の操作キーの正しい操作方法を知っている者（例えば、看護人等）に限られるので、泥棒等が、室内に不法に侵入することがない。これにより、入居者等の安全性が保証される。
【００３８】
また、部屋（室）の外側より、室内に入ることができる者は、複数の操作キーの正しい操作方法を知っている者（例えば、看護人等）に限られるので、入居者等のプライバシーも保証される。
【００３９】
【発明の実施の形態】
以下、本発明について、図面を参照しながら、更に詳しく説明する。図１は、本発明に係る入退室管理システムの一例を模式的に示すブロック図である。尚、図１では、本発明に係る入退室管理システムを老人介護施設に導入した例を示しているが、各部屋Ｒ１、Ｒ２、Ｒ３、Ｒ４は、実際の老人介護施設の部屋（例えば、病室等）を示しているのではなく、本発明に係る入退室管理システムの種々の構成を例示的に説明しているに過ぎない。
【００４０】
この入退出管理システム１は、各部屋Ｒ１、Ｒ２、Ｒ３、Ｒ４の入退室扉Ｄ、Ｄ、Ｄ、Ｄの各々に設けられた電気錠３、３、３、３と、部屋Ｒ１、Ｒ２、Ｒ３、Ｒ４の各々の室内に設けられ、各部屋Ｒ１、Ｒ２、Ｒ３、Ｒ４の各々の入退室扉Ｄ、Ｄ、Ｄ、Ｄの各々に設けられた電気錠３、３、３、３を解錠する電気錠解錠手段２、２、２、２と、この入退室管理システムの全体を制御するセンター装置（この例では、パソコン）ＰＣとを備える。
【００４１】
センター装置ＰＣは、ナースステーションに設置されている。また、この例では、看護人等の呼出しに使用する呼出機（この例では、構内交換機（ＰＢＸ）を用いている）６が、ナースステーションに設置されている。そして、この呼出機６は、センター装置ＰＣに接続されている。センター装置ＰＣと、部屋Ｒ１、Ｒ２、Ｒ３、Ｒ４の入退室扉Ｄ、Ｄ、Ｄ、Ｄの各々に設けられた電気錠３、３、３、３、及び、電気錠３、３、３、３の各々を解錠する電気錠解錠手段２、２、２、２は、中継器１３、１３、１３、１３の各々を介して、通信回線Ｌにより接続されており、センター装置ＰＣ、電気錠３、３、３、３及び、電気錠解錠手段２、２、２、２との間で、相互に信号のやりとりができるようになっている。
【００４２】
センター装置ＰＣは、外部入力手段（いわゆる、キーボード）Ｋｙを備え、この外部入力手段Ｋｙを操作する等すれば、電気錠３、３、３、３の各々のアドレスを指定して、電気錠３、３、３、３の各々を解錠するための暗証番号を入力、設定、変更できるようになっている。より具体的に説明すると、この入退室管理システム１では、電気錠３、３、３、３、及び、電気錠解錠手段２、２、２、２の各々には、固有のアドレスが付されており、センター装置ＰＣの記憶手段（図示せず）には、電気錠３、３、３、３のアドレスと、電気錠３、３、３、３の各々を解錠させるための暗証番号として、外部入力手段Ｋｙより入力された暗証番号とを各々対応させたテーブルが格納されている。
【００４３】
そして、センター装置ＰＣの外部入力手段Ｋｙより、センター装置ＰＣの記憶手段（図示せず）に格納しているテーブルの電気錠３、３、３、３の各々を解錠する暗証番号を入力、設定、変更できるようになっている。また、この老人介護施設の警備人室には、火災受信機１１が設置されており、各部屋Ｒ１、Ｒ２、Ｒ３、Ｒ４の各々には、火災感知器１２、１２、１２、１２が設置されており、火災受信機１１は、共通の通信回線Ｌ０によって接続されている。
【００４４】
尚、１４は、この老人養護施設に設けられることがあるエレベータの各階に設けられる外扉を示している。火災受信機１１は、そのアドレス記憶部（図示せず）に記憶された、火災感知器１２、・・・、１２の各々のアドレス情報に基づいて、多重伝送により、通信回線線Ｌ０を通じて、火災感知器１２、・・・、１２の各々に対して、ポーリングによって、循環的に監視信号を送信し、火災感知器１２、・・・、１２の各々の異常動作や断線等を監視している。
【００４５】
また、火災受信機１１は、火災感知器１２、・・・、１２のいずれかが発報すると、これを受信し、各種警報装置（図示せず）に対して、火災警報を発令するとともに、防排煙装置等（図示せず）を作動させるようになっている。更に、この火災受信機１１は、通信回線Ｌ１を介して、センター装置ＰＣに接続されている。
【００４６】
次に、部屋Ｒ１のタイプについて説明する。図２は、部屋Ｒ１の入退出扉の周辺の外観構成を模式的に示す説明図であり、図２（ａ）は、部屋Ｒ１の入退出扉の周辺を室外から見た状態を示す説明図であり、また、図２（ｂ）は、部屋Ｒ１の入退出扉の周辺を室内から見た状態を示す説明図である。
【００４７】
この部屋Ｒ１の入退出扉Ｄは、部屋Ｒ１の外側のノブＫｏを操作すれば、電気錠３が、解錠するようになっており、これにより、部屋Ｒ１の外側より、入退室扉Ｄを開閉すれば、部屋Ｒ１内に人が自由に入れるようになっている（図２（ａ）を参照）。一方、部屋Ｒ１の内側からは、入退室扉ＤのノブＫｉを操作するだけでは、電気錠３が解錠状態にならないようにしている（図２（ｂ）を参照）。
【００４８】
図３は、図１及び図２に示す電気錠解錠手段２を拡大して模式的に示す外観構成図である。この電気錠解錠手段２は、複数の操作キー（暗証キー）２１、２２、２３、２４を備える。この例では、電気錠解錠手段２として、４個の操作キー（暗証キー）２１、２２、２３、２４を備えるものを用いている。
【００４９】
尚、操作キー（暗証キー）２１、２２、２３、２４には、番号（例えば、「１」、「２」、「３」、「４」）を付しても、付さなくてもよいが、暗証番号の設定の自由度を高めることや、入居者等に、操作手順を覚えられないようにするためには、どちらかというと、操作キー（暗証キー）２１、２２、２３、２４には、番号を付さない方が好ましい。
【００５０】
部屋Ｒ１の内側から入退室扉Ｄの電気錠３を解錠するためには、複数の操作キー（暗証キー）２１、２２、２３、２４を適宜操作し、複数の操作キー（暗証キー）２１、２２、２３、２４の入力操作によって入力された暗証番号が、この部屋Ｒ１の入退室扉Ｄに設けられた電気錠３を解錠する暗証番号と一致した時に、初めて、部屋Ｒ１の入退室扉Ｄに設けられた電気錠３が解錠し、部屋Ｒ１の内側にいる人が、入退室扉Ｄを開閉して外に出られるようになっている。
【００５１】
この入退室管理システム１では、電気錠解錠手段２の複数の操作キー（暗証キー）２１、２２、２３、２４のいずれか１個の操作キー（暗証キー）を確定キーとしている。尚、複数の操作キー（暗証キー）２１、２２、２３、２４のいずれか１個の操作キー（暗証キー）を確定キーにする操作は、センター装置ＰＣ側で設定できるようになっている。
【００５２】
より具体的に説明すると、電気錠解錠手段２には、固有のアドレスが予め割り当てられており、センター装置ＰＣ側で、電気錠解錠手段２のアドレスを指定し、複数の操作キー（暗証キー）２１、２２、２３、２４の中、１個の操作キー（暗証キー）として確定キーを選択すれば、電気錠解錠手段２の複数の操作キー（暗証キー）２１、２２、２３、２４のいずれか１個の操作キー（暗証キー）を確定キーとすることができるようになっている。
【００５３】
ここでは、説明を容易とするため、例えば、操作キー（暗証キー）２４を確定キーとして設定した場合を例にとって説明する。この場合には、確定キーとして設定した操作キー（暗証キー）２４を除く、残りの操作キー（暗証キー）２１、２２、２３により、電気錠３を解錠するための暗証番号を設定することができる。
【００５４】
図４は、そのような暗証番号を設定するモードを例示的に説明する説明図である。より詳しく説明すると、図４は、各モードの、電気錠解錠手段２の複数の操作キー（暗証キー）２１、２２、２３、２４の操作回数を示している。まず、モード１について説明する。
【００５５】
モード１は、操作キー（暗証キー）２１、２２、２３、２４の中の２個の操作キーの組合せ中に、電気錠３を解錠する暗証番号が設定されている場合を示している。例えば、操作キー（暗証キー）２４を確定キーにした場合について説明すると、操作キー（暗証キー）２１、２２、２３、２４の中、残りの３つの操作キー（暗証キー）２１、２２、２３を１回操作する中に、暗証番号が設定されている場合を示している。
【００５６】
この場合には、暗証番号は、（３）１＝３通り（（２１）、（２２）、（２３））がある。そして、確定キーを、操作キー（暗証キー）２１、２２、２３、２４の中のいずれかに変更できるとすると、確定キーを、操作キー（暗証キー）２１、操作キー（暗証キー）２２、操作キー（暗証キー）２３、操作キー（暗証キー）２４のいずれかにする場合で、４通りのパターンができるので、モード１としては、４×（３）１＝１２通りの暗証番号を設定できるようになる。
【００５７】
次に、モード２について説明する。モード２は、操作キー（暗証キー）２１、２２、２３、２４の中の３回の操作キーの組合せ中に、電気錠３を解錠する暗証番号が設定されている場合を示している。例えば、操作キー（暗証キー）２４を確定キーにした場合について説明すると、操作キー（暗証キー）２１、２２、２３を２回操作（同じ操作キー（暗証キー）を２回操作する場合を含む）する中に、暗証番号が設定されている場合を示している。
【００５８】
この場合、暗証番号は、（３）２＝９通り（（２１、２１）、（２１、２２）、（２１、２３）、（２２、２１）、（２２、２２）、（２２、２３）、（２３、２１）、（２３、２２）、（２２、２２））がある。そして、確定キーを、操作キー（暗証キー）２１、２２、２３、２４の中のいずれかに変更できるとすると、確定キーを、操作キー（暗証キー）２１、操作キー（暗証キー）２２、操作キー（暗証キー）２３、操作キー（暗証キー）２４のいずれかにする場合で、４通りのパターンができるので、モード２としては、４×（３）２＝３６通りの暗証番号を設定できるようになる。
【００５９】
次に、モード３について説明する。モード３は、操作キー（暗証キー）２１、２２、２３、２４の中の４回の操作キーの組合せ中に、電気錠３を解錠する暗証番号が設定されている場合を示している。例えば、操作キー（暗証キー）２４を確定キーにした場合について説明すると、操作キー（暗証キー）２１、２２、２３を３回操作（同じ操作キー（暗証キー）を３回操作する場合を含む）する中に、暗証番号が設定されている場合を示している。
【００６０】
この場合、暗証番号は、図５に示すように、（３）３＝２７通りがある。そして、確定キーを、操作キー（暗証キー）２１、２２、２３、２４の中のいずれかに変更できるとすると、確定キーを、操作キー（暗証キー）２１、操作キー（暗証キー）２２、操作キー（暗証キー）２３、操作キー（暗証キー）２４のいずれかにする場合で、４通りのパターンができるので、モード３としては、４×（３）３＝１０８通りの暗証番号を設定できるようになる。
【００６１】
尚、この例では、電気錠解錠手段２の操作キー（暗証キー）が、４個の操作キー（暗証キー）２１、２２、２３、２４で構成されている場合を説明したが、電気錠解錠手段２の操作キー（暗証キー）が、ｎ個の場合には、数１で示される数の暗証番号を設定できる。
【００６２】
【数１】
0004006822.tif 000002
【００６３】
次に、部屋Ｒ１への入退出の動作手順について説明する。図６は、部屋Ｒ１の入退出扉Ｄの開閉操作手順を概略的に説明するフローチャートである。この部屋Ｒ１は、室外側のノブＫｏを操作すれば、電気錠３が解錠するようになっているので、看護人等は、入退出扉Ｄを開閉して、自由に部屋Ｒ１に入室することができる。
【００６４】
この例では、入退出扉Ｄが閉じた状態にすると、自動的に電気錠３が施錠（オートロック）し、室内側のノブＫｉを操作するだけでは、入退出扉Ｄが開かないようにされている。そして、まず、ステップＳａ１において、電気錠解錠手段２の複数の操作キー（暗証キー）２１、２２、２３、２４を操作して暗証番号を入力する。
【００６５】
操作キー（暗証キー）２１、２２、２３、２４から入力操作された暗証番号は、通信回線Ｌを介して、センター装置ＰＣに送られ、センター装置ＰＣの記憶手段に予め記憶されている部屋Ｒ１の入退室扉Ｄの電気錠３を解錠する暗証番号と比較される（ステップＳａ２を参照）。そして、電気錠解錠手段２の複数の操作キー（暗証キー）２１、２２、２３、２４を操作によって入力された暗証番号が、部屋Ｒ１の入退室扉Ｄに設けられた電気錠３を解錠する暗証番号と一致した時に、部屋Ｒ１の入退室扉Ｄに設けられた電気錠３が解錠するようにされている（ステップＳａ３を参照）。
【００６６】
他方、操作キー（暗証キー）２１、２２、２３、２４の入力操作によって入力された暗証番号が、部屋Ｒ１の入退室扉Ｄに設けられた電気錠３を解錠する暗証番号と不一致の場合には、電気錠解錠手段２の近傍に設けられたエラー表示ランプ（図示せず）が所定時間点灯し、この場合には、電気錠３が施錠状態のまま保持されるので、部屋Ｒ１の入退室扉Ｄを開けることができないようにしている（ステップＳａ４を参照）。
【００６７】
尚、ここでは、操作キー（暗証キー）２１、２２、２３、２４の入力操作が、部屋Ｒ１の入退室扉Ｄに設けられた電気錠３を解錠する暗証番号と不一致の場合に、エラー表示ランプ（図示せず）が所定時間点灯するようにした例について説明したが、エラー表示ランプ（図示せず）は、特に無くてもよいものであり、また、操作キー（暗証キー）２１、２２、２３、２４の入力操作により入力された暗証番号が、部屋Ｒ１の入退室扉Ｄに設けられた電気錠３を解錠する暗証番号と不一致の場合に、エラーを表示する手段は、何も、エラー表示ランプ（図示せず）に限られることはなく、例えば、電気錠解錠手段２内に内蔵スピーカ（図示せず）を設け、内蔵スピーカ（図示せず）から、例えば、「プー」というエラー音がでるようにしてもよい。
【００６８】
更に、この例では、ステップＳａ３において、電気錠３が解錠状態になると同時に、ステップＳａ５に示すように、タイマーがスタートするようになっている。そして、ステップＳａ６において、入退室扉Ｄの開閉があれば、部屋Ｒ１から、看護人等が退室したと判断し、タイマーをキャンセルし（ステップＳａ７を参照）、入退室扉Ｄが再び閉じられた時点で、自動的に、電気錠３を施錠状態にし、部屋Ｒ１内のノブＫｉを操作するだけでは、入退室扉Ｄが開かないようにしている（ステップＳａ８を参照）。
【００６９】
一方、ステップＳａ３において、電気錠３が解錠し、ステップＳａ５に示すように、タイマーがスタートしても、所定時間（この例では、１０秒間にしている）経過しても、入退室扉Ｄが開けられない場合には、再び、電気錠３を施錠状態にするようにしている（ステップＳａ９を参照）。この入退室管理システム１では、部屋Ｒ１内に、複数の操作キー（暗証キー）２１、２２、２３、２４を備える電気錠解錠手段２を設けるようにし、複数の操作キー（暗証キー）２１、２２、２３、２４の入力操作によって入力された暗証番号が、部屋Ｒ１の入退室扉Ｄに設けられた電気錠３を解錠する暗証番号と一致した時に限り、電気錠３が解錠するようにしている。
【００７０】
これにより、電気錠解錠手段２の複数の操作キー（暗証キー）２１、２２、２３、２４の入力操作が正しく行われない限り、部屋Ｒ１内側のノブＫｉを操作するだけでは、入退室扉Ｄが開くことはないので、看護人等が知らない間に、入居者等が部屋から出ていってしまうといった事態が生じない。また、この入退室管理システム１では、センター装置ＰＣにより、部屋Ｒ１の入退室扉Ｄに設けられた電気錠３を解錠するための暗証番号を、設定できるようにしている。
【００７１】
これにより、たとえ、入居者等が、電気錠解錠手段２の複数の操作キー（暗証キー）２１、２２、２３、２４の入力操作を正しく行えば、部屋Ｒ１内側より、入退室扉Ｄを開くことができることを知り、看護人等が行っている、複数の操作キー（暗証キー）２１、２２、２３、２４の入力操作を覚えてしまい、病室から抜け出してしまうという問題が生じても、この入退室管理システム１では、部屋Ｒ１の電気錠３を解錠するための暗証番号を、センター装置ＰＣで変更設定できるようにしている。
【００７２】
これにより、電気錠３を解錠するための、ある暗証番号を入居者等が覚え、部屋Ｒ１から出て行くといった事態が頻発するようになれば、電気錠３を解錠するための暗証番号を他の暗証番号に変えることで、入居者等が部屋Ｒ１から出て行くといった事態が発生するのを防止することができる。更に、この入退室管理システム１では、電気錠解錠手段２の複数の操作キー（暗証キー）２１、２２、２３、２４の１個の操作キー（暗証キー）を確定キーとしているので、電気錠解錠手段２の複数の操作キー（暗証キー）２１、２２、２３、２４のうち、１個の確定キーとされた操作キー（暗証キー）以外の操作キー（暗証キー）から入力された暗証番号の最初から最後までを、１個の確定キーとされた操作キー（暗証キー）の入力操作により、センター装置ＰＣで容易に識別できるので、センター装置ＰＣ側で、容易に、電気錠解錠手段２の複数の操作キー（暗証キー）２１、２２、２３、２４が正しく押されたか、押されなかったかを、判別できるので、そのような正しい判別結果に基づいて、部屋Ｒ１の入退室扉Ｄに設けられた電気錠３の解錠を制御することで、エラーの少ない、入退室管理システムを簡単に構築できる。
【００７３】
更に、この入退室管理システム１では、電気錠解錠手段２の複数の操作キー（暗証キー）２１、２２、２３、２４の中、確定キーとされる１個の操作キー（暗証キー）を、センター装置ＰＣにより、任意に選択できるようにしている。これにより、この入退室管理システム１では、センター装置ＰＣにより、入居者等に知られることなく、電気錠解錠手段２の複数の操作キー（暗証キー）２１、２２、２３、２４の中、確定キーを変更し、これにより、暗証番号を入居者等に判らないようにすることで、入居者等が、部屋Ｒ１から出て行くといった事態が発生するのを防止することができる。
【００７４】
更に、この入退室管理システム１では、電気錠解錠手段２の複数の操作スイッチ２１、２２、２３、２４の入力操作によって入力された暗証番号が、部屋Ｒ１の入退室扉Ｄに設けられた電気錠３を解錠する暗証番号と一致した場合に、いつまでも、電気錠３を解錠したままにするのではなく、電気錠３が解錠されてから所定の時間内に、電気錠３を再び施錠するようにしているので、所定時間（この例では、１０秒間）が経過後は、部屋Ｒ１内側の入居者等が、部屋Ｒ１から出て行けなくなる。
【００７５】
これにより、入居者等が、看護人等が知らない間に、部屋Ｒ１から抜け出して、行方不明になったり、事故に遭うといったような、ゆゆしき事態が発生するのを防止することができる。更にまた、この入退室管理システム１では、電気錠３を解錠するための暗証番号について、電気錠解錠手段２の複数の操作キー（暗証キー）２１、２２、２３、２４のうち、確定キーとしての１個の操作キー（暗証キー）を除く、残りの操作キー（暗証キー）により設定されるようになっている。
【００７６】
これにより、入居者等の痴呆レベルに合わせて、電気錠３を解錠するための暗証番号を変えることで、看護人等にとっても使いやすく、看護人等の業務に支障が生じ難い、入退出管理システムとして利用することができる。このことを更に詳しく説明する。例えば、部屋Ｒ１に入居する老人等の痴呆レベルが相当進んでいる場合には、電気錠３を解錠するための暗証番号を、電気錠解錠手段２の複数の操作キー（暗証キー）２１、２２、２３、２４のうち、確定キーとしての１個の操作キー（暗証キー）を除く、残りの操作キー（暗証キー）の１個で設定しても、複数の操作キー（暗証キー）が、４個の場合でも、暗証番号の種類は、上述したように、１２通りの中から選択できるので、入居者等にとっては、部屋Ｒ１内に設けられた電気錠解錠手段２の複数の操作キー（暗証キー）２１、２２、２３、２４の操作をしても、電気錠３を解錠するための暗証番号に一致する操作がし難く、且つ、この場合には、看護人等は、電気錠解錠手段２の複数の操作キー（暗証キー）２１、２２、２３、２４のうち、確定キーとしての１個の操作キー（暗証キー）を除く、残りの操作キー（暗証キー）の１個の押し操作と、確定キーの押し操作という簡単な操作で、部屋Ｒ１の入退室扉Ｄを開くことができるので、電気錠解錠手段２の複数の操作キー（暗証キー）２１、２２、２３、２４の正しい操作を容易に覚えることができる。
【００７７】
また、例えば、部屋Ｒ１に入居する入居者等の痴呆レベルが軽度で、正常人に近い場合には、電気錠３を解錠するための暗証番号を、電気錠解錠手段２の複数の操作キー（暗証キー）２１、２２、２３、２４のうち、確定キーとしての１個の操作キー（暗証キー）を除く、残りの少なくとも操作キー（暗証キー）の２個で設定すれば、電気錠３を解錠するための暗証番号の種類は、複数の操作キー（暗証キー）の数が４個の場合でも、１４４通り（３６＋１０８＝１４４）の中から選択できるので、入居者等にとっては、部屋Ｒ１内に設けられた電気錠解錠手段２の複数の操作キー（暗証キー）２１、２２、２３、２４の操作をしても、電気錠３を解錠するための暗証番号に一致する操作がし難く、且つ、この場合には、看護人等は、電気錠解錠手段２の複数の操作キー（暗証キー）２１、２２、２３、２４のうち、確定キーとしての１個の操作キー（暗証キー）を除く、残りの操作キー（暗証キー）の少なくとも２個の押し操作と、確定キーの押し操作という簡単な操作で、部屋Ｒ１の入退室扉Ｄを開くことができるので、電気錠解錠手段２の複数の操作キー（暗証キー）２１、２２、２３、２４の正しい操作を容易に覚えることができる。
【００７８】
また、電気錠解錠手段２の複数の操作キー（暗証キー）の数は、特に限定されることはないが、この発明の実施の形態に示したように、４個の操作キー（暗証キー）２１、２２、２３、２４で構成されていることが好ましい。これは、４個の操作キー（暗証キー）２１、２２、２３、２４で構成しても、電気錠３を解錠するための暗証番号の種類は、１５６通り（１２＋３６＋１０８＝１５６）の中から選択できるため、入居者等にとっては、部屋Ｒ１内に設けられた電気錠解錠手段２の複数の操作キー（暗証キー）２１、２２、２３、２４の操作をしても、電気錠３を解錠するための暗証番号に一致する操作がし難く、偶然に電気錠解錠手段２の複数の操作キー（暗証キー）２１、２２、２３、２４の操作が、電気錠３を解錠するための暗証番号に一致するということがおき難く、且つ、看護人等にとっても、電気錠３を解錠するための暗証番号を覚え易いからである。
【００７９】
一方、電気錠解錠手段２の複数の操作キー（暗証キー）を３個の操作キー（暗証キー）で構成した場合には、看護人等にとって、電気錠３を解錠するための暗証番号を覚え易いというメリットがあるものの、この場合には、電気錠３を解錠するための暗証番号の種類として、１８通り（３×２1＋３×２2＝１８）しかなく、入居者等の電気錠解錠手段２の操作が、偶然に、電気錠３を解錠するための暗証番号に一致するということが起きえるので、好ましくないからである。
【００８０】
また、電気錠解錠手段２の複数の操作キー（暗証キー）を５個の操作キー（暗証キー）で構成した場合には、５個の操作キー（暗証キー）とした場合には、入居者等の電気錠解錠手段２の操作が、偶然に、電気錠３を解錠するための暗証番号に一致するということが一層起き難くなるが、看護人等にとっても、電気錠３を解錠するための暗証番号を覚え難くなるというディメリットが生じる。
【００８１】
次に、部屋Ｒ２のタイプについて説明する。部屋Ｒ２は、部屋Ｒ２外から、特定人（例えば、看護人等）だけが、自由に、部屋Ｒ２内に入ることができるようにしたタイプのものであり、部屋Ｒ２は、図７（ａ）に示すように、部屋Ｒ２外に、部屋Ｒ２の入退室扉Ｄに設けられた電気錠３を解錠する電気錠解錠手段５を更に備えている点が、部屋Ｒ１と異なっている。
【００８２】
電気錠解錠手段５は、図１に示すように、中継器１３を介して、通信回線Ｌに接続されており、電気錠解錠手段５とセンター装置ＰＣとの間で、信号のやりとりができるようになっている。部屋Ｒ２では、電気錠解錠手段５として、磁気カード（図示せず）を読み取るカードリーダを用いている。
【００８３】
また、電気錠解錠手段５にも、固有のアドレスが割り振られており、センター装置ＰＣには、電気錠解錠手段５のアドレスに対応させるように、電気錠３を解錠するための暗証番号が予め記憶されている。この部屋Ｒ２では、入退室扉Ｄが閉じた状態にされている時には、電気錠３が自動的に施錠（オートロック）するようにされており、部屋Ｒ２外のノブＫｏを操作するだけでは、入退室扉Ｄの電気錠３を解錠状態にすることができないようになっている（図７（ａ）を参照）。
【００８４】
且つ、部屋Ｒ２内のノブＫｉを操作するだけでは、入退室扉Ｄの電気錠３を解錠状態にすることができないようになっている（図７（ｂ）を参照）。次に、部屋Ｒ１への入退出の動作手順について説明する。図８は、部屋Ｒ２の入退出扉Ｄの室外側の開閉操作手順を概略的に説明するフローチャートである。
【００８５】
この部屋Ｒ２に入室するためには、この部屋Ｒ２の入退室扉Ｄの電気錠３を、部屋Ｒ２の外側の操作で、解錠状態にし、入退室扉Ｄを開けることができるようにする必要がある。従って、この部屋Ｒ２に入室しようとする者は、まず、ステップＳｂ１において、看護人等は、磁気カード（図示せず）をカードリーダ５に読み込ませる必要がある。カードリーダ５が読み込んだ磁気カード（図示せず）の情報は、通信回線Ｌを介して、センター装置ＰＣへと送られ、センター装置ＰＣの記憶手段に予め記憶されている部屋Ｒ２の入退室扉Ｄの電気錠３を解錠する暗証番号と比較される（ステップＳｂ２を参照）。
【００８６】
そして、カードリーダ５が読み込んだ磁気カード（図示せず）の情報が、センター装置ＰＣの記憶手段に予め記憶されている部屋Ｒ２の入退室扉Ｄの電気錠３を解錠する暗証番号と一致する場合には、ステップＳｂ３において、センター装置ＰＣから電気錠３に解錠信号が送出され、電気錠３が解錠状態になる。他方、カードリーダ５が読み込んだ磁気カード（図示せず）の情報が、センター装置ＰＣの記憶手段に予め記憶されている部屋Ｒ２の入退室扉Ｄの電気錠３を解錠する暗証番号と不一致の場合には、カードリーダ５の近傍に設けられたエラー表示ランプ（図示せず）が所定時間点灯し、この場合には、電気錠３が施錠状態のまま保持されるので、部屋Ｒ２の入退室扉Ｄを開けることができないようにしている（ステップＳｂ４を参照）。
【００８７】
尚、ここでは、カードリーダ５が読み込んだ磁気カード（図示せず）の情報が、センター装置ＰＣの記憶手段に予め記憶されている部屋Ｒ２の入退室扉Ｄの電気錠３を解錠する暗証番号と不一致の場合に、エラー表示ランプ（図示せず）が所定時間点灯するようにした例について説明したが、エラー表示ランプ（図示せず）は、特に無くてもよいものであり、また、カードリーダ５が読み込んだ磁気カード（図示せず）の情報が、センター装置ＰＣの記憶手段に予め記憶されている部屋Ｒ２の入退室扉Ｄの電気錠３を解錠する暗証番号と不一致の場合に、エラーを表示する手段は、何も、エラー表示ランプ（図示せず）に限られることはなく、例えば、カードリーダ５内に内蔵スピーカ（図示せず）を設け、内蔵スピーカ（図示せず）から、例えば、「プー」というエラー音がでるようにしてもよい。
【００８８】
更に、この例では、電気錠３が解錠状態になると同時に、ステップＳｂ５に示すように、タイマーがスタートするようになっている。そして、ステップＳｂ６において、入退室扉Ｄの開閉があれば、部屋Ｒ２内に、看護人等が入室したと判断し、タイマーをキャンセルし（ステップＳｂ７を参照）、入退室扉Ｄが開いた後、再び閉じられた時点で、自動的に、電気錠３を施錠状態にし、部屋Ｒ２外のノブＫｏや、部屋Ｒ２内のノブＫｉを操作するだけでは、入退室扉Ｄが開かないようにしている（ステップＳｂ８を参照）。
【００８９】
一方、ステップＳｂ３において、電気錠３が解錠し、ステップＳｂ５に示すように、タイマーがスタートしても、所定時間（この例では、１０秒間にしている）経過しても、入退室扉Ｄが開けられない場合には、再び、電気錠３を施錠状態にするようにしている（ステップＳｂ９を参照）。尚、部屋Ｒ２内側に設けられる電気錠解錠手段２の構成及び部屋Ｒ２から退出する際の動作手順は、部屋Ｒ１内側に設けられる電気錠解錠手段２の構成及び動作手順と同様であるので、ここでの説明は省略する。
【００９０】
この入退室管理システム１では、部屋Ｒ２の外側に、入退室扉Ｄに設けられた電気錠３を解錠する電気錠解錠手段（カードリーダ）５を設けている。これにより、室内に入ることができる者は、正しい磁気カード（図示せず）を持っている者（例えば、看護人等）に限られるので、泥棒等が、室内に不法に侵入することがない。これにより、入居者等の安全性が保証される。
【００９１】
また、部屋Ｒ２の外側より、部屋Ｒ２内に入ることができる者は、正しい磁気カード（図示せず）を持っている者（例えば、看護人等）に限られるので、入居者等のプライバシーも保証される。更に、この入退室管理システム１では、電気錠解錠手段５が読み込んだ磁気カードの情報が、部屋Ｒ２の入退室扉Ｄに設けられた電気錠３を解錠する暗証番号と一致した場合に、いつまでも、電気錠３を解錠したままにするのではなく、電気錠３が解錠されてから所定の時間内に、電気錠３を再び施錠するようにしているので、所定時間（この例では、１０秒間）が経過後は、部屋Ｒ２内に第三者が、勝手に入ることがないので、安全性にも優れている。
【００９２】
次に、部屋Ｒ３のタイプについて説明する。部屋Ｒ３は、部屋Ｒ３外から、特定人（例えば、看護人等）だけが、自由に、部屋Ｒ３内に入ることができるようにした他のタイプを示している。この部屋Ｒ３は、図９（ａ）に示すように、部屋Ｒ３の外側に、部屋Ｒ３の入退室扉Ｄに設けられた電気錠３を解錠する電気錠解錠手段２ａを更に備えている点が、部屋Ｒ１と異なっている。
【００９３】
そして、入退室扉Ｄが閉じた状態にされている時には、電気錠３が自動的に施錠（オートロック）するようにされており、部屋Ｒ３の外側のノブＫｏを操作するだけでは、入退室扉Ｄの電気錠３を解錠状態にすることができないようになっている（図９（ａ）を参照）。且つ、部屋Ｒ３内のノブＫｉを操作するだけでは、入退室扉Ｄの電気錠３を解錠状態にすることができないようになっている（図９（ｂ）を参照）。
【００９４】
電気錠解錠手段２ａは、図１に示すように、中継器１３を介して、通信回線Ｌに接続されており、電気錠解錠手段２ａとセンター装置ＰＣとの間で、信号のやりとりができるようにされている。また、電気錠３、及び、電気錠解錠手段２ａには、各々、固有のアドレスが割り振られており、センター装置ＰＣの記憶手段（図示せず）には、電気錠３のアドレスに対応させた、入退室扉Ｄに設けられた電気錠３を解錠するための暗証番号のテーブルが、格納されている。
【００９５】
そして、センター装置ＰＣの外部入力手段Ｋｙより、テーブルの電気錠３の各々を解錠する暗証番号を入力、設定、変更できるようになっている。部屋Ｒ３では、電気錠解錠手段２ａとして、複数の操作キー（暗証キー）を備えるものを用いている。尚、室外に設けられる電気錠解錠手段２ａの構成は、図３に示す、室内に設けられる電気錠解錠手段２と同様であるので、以下の説明では、相当する部材装置については相当する参照符号を用いて説明し、ここでは、説明を容易とするため、電気錠解錠手段２ａの説明は省略する。
【００９６】
次に、部屋Ｒ３への入退出の動作手順について説明する。この部屋Ｒ３に入室するためには、この部屋Ｒ３の入退室扉Ｄの電気錠３を、部屋Ｒ３の外側の操作で、解錠状態にし、入退室扉Ｄを開けることができるようにする必要がある。図１０は、部屋Ｒ３の入退出扉Ｄの室外側の開閉操作手順を概略的に説明するフローチャートである。
【００９７】
この部屋Ｒ３の入退室扉Ｄの電気錠３を、部屋Ｒ３の外側の操作で、解錠状態にし、入退室扉Ｄを開けることができるようにするためには、まず、ステップＳｃ１において、看護人等は、部屋Ｒ３の外側に設けられた電気錠解錠手段２ａの複数の操作キー（暗証キー）２１、２２、２３、２４を操作する。操作キー（暗証キー）２１、２２、２３、２４の入力操作は、通信回線Ｌを介して、センター装置ＰＣに送られ、センター装置ＰＣの記憶手段に予め記憶されている部屋Ｒ１の入退室扉Ｄの電気錠３を解錠する暗証番号と比較される（ステップＳｃ２を参照）。
【００９８】
そして、電気錠解錠手段２ａの複数の操作キー（暗証キー）２１、２２、２３、２４の入力操作によって入力された暗証番号が、部屋Ｒ３の入退室扉Ｄに設けられた電気錠３を解錠する暗証番号と一致によって入力された時に、部屋Ｒ３の入退室扉Ｄに設けられた電気錠３が解錠するようにされている（ステップＳｃ３を参照）。
【００９９】
他方、操作キー（暗証キー）２１、２２、２３、２４の入力操作が、部屋Ｒ３の入退室扉Ｄに設けられた電気錠３を解錠する暗証番号と不一致の場合には、電気錠解錠手段２ａの近傍に設けられたエラー表示ランプ（図示せず）が所定時間点灯し、この場合には、電気錠３が施錠状態のまま保持されるので、部屋Ｒ３の入退室扉Ｄを開けることができないようにしている（ステップＳｃ４を参照）。尚、ここでは、操作キー（暗証キー）２１、２２、２３、２４の入力操作が、部屋Ｒ３の入退室扉Ｄに設けられた電気錠３を解錠する暗証番号と不一致の場合に、エラー表示ランプ（図示せず）が所定時間点灯するようにした例について説明したが、エラー表示ランプ（図示せず）は、特に無くてもよいものであり、また、操作キー（暗証キー）２１、２２、２３、２４の入力操作が、部屋Ｒ３の入退室扉Ｄに設けられた電気錠３を解錠する暗証番号と不一致の場合に、エラー表示する手段は、何も、エラー表示ランプ（図示せず）に限られることはなく、例えば、電気錠解錠手段２内に内蔵スピーカ（図示せず）を設け、内蔵スピーカ（図示せず）から、例えば、「プー」というエラー音がでるようにしてもよい。
【０１００】
更に、この例では、ステップＳｃ３において、電気錠３が解錠状態になると同時に、ステップＳｃ５に示すように、タイマーがスタートするようになっている。そして、ステップＳｃ６において、入退室扉Ｄの開閉があれば、部屋Ｒ３内に、看護人等が入室したと判断し、タイマーをキャンセルし（ステップＳｃ７を参照）、入退室扉Ｄが再び閉じられた時点で、自動的に、電気錠３を施錠状態にし、部屋Ｒ３外のノブＫｏや、部屋Ｒ３内のノブＫｉを操作するだけでは、入退室扉Ｄが開かないようにしている（ステップＳｃ８を参照）。
【０１０１】
一方、ステップＳｃ３において、電気錠３が解錠し、ステップＳｃ５に示すように、タイマーがスタートしても、所定時間（この例では、１０秒間にしている）経過しても、入退室扉Ｄが開けられない場合には、再び、電気錠３を施錠状態にするようにしている（ステップＳｃ９を参照）。尚、部屋Ｒ３内側に設けられる電気錠解錠手段２の構成及び動作は、部屋Ｒ１内側に設けられる電気錠解錠手段２の構成及び動作と同様であるので、ここでの説明は省略する。
【０１０２】
この入退室管理システム１では、部屋Ｒ３の外側に、入退室扉Ｄに設けられた電気錠３を解錠する電気錠解錠手段２ａを設けている。これにより、部屋Ｒ３内に入ることができる者は、電気錠解錠手段２ａの複数の操作キー（暗証キー）２１、２２、２３、２４の正しい操作方法を知っている者（例えば、看護人等）に限られるので、泥棒等が、室内に不法に侵入することがない。これにより、入居者等の安全性が保証される。
【０１０３】
また、部屋Ｒ３の外側より、部屋Ｒ３内に入ることができる者は、電気錠解錠手段２ａの複数の操作キー（暗証キー）２１、２２、２３、２４の正しい操作方法を知っている者（例えば、看護人等）に限られるので、入居者等のプライバシーも保証される。更に、この入退室管理システム１では、電気錠解錠手段２ｂの複数の操作スイッチ２１、２２、２３、２４の入力操作によって入力された暗証番号が、部屋Ｒ３の入退室扉Ｄに設けられた電気錠３を解錠する暗証番号と一致した場合に、いつまでも、電気錠３を解錠したままにするのではなく、電気錠３が解錠されてから所定の時間内に、電気錠３を再び施錠するようにしているので、所定時間（この例では、１０秒間）が経過後は、部屋Ｒ３内に第三者が勝手に入ることがないので、安全性にも優れている。
【０１０４】
次に、部屋Ｒ４のタイプについて説明する。部屋Ｒ４は、ベランダＶ付きの病室を示している。尚、この部屋Ｒ４の入退室扉Ｄ側の構成は、部屋Ｒ１と同タイプであるので、ここでの説明は省略する。部屋Ｒ４は、図１に示すように、ベランダＶに通じるベランダ用の入退出扉Ｄｖを備える。
【０１０５】
この部屋Ｒ４内には、この部屋Ｒ４に付設されているベランダＶ用の入退室扉Ｄｖに設けられた電気錠３を解錠する電気錠解錠手段２ｂを備える。入退室扉Ｄｖに設けられた電気錠３、及び、電気錠解錠手段２ｂは、図１に示すように、中継器１３を介して、通信回線Ｌに接続されており、センター装置ＰＣ、電気錠３、及び、電気錠解錠手段２ｂとの間で相互に信号のやりとりができるようになっている。
【０１０６】
また、入退室扉Ｄｖに設けられた電気錠３、及び、電気錠解錠手段２ｂには、各々、固有のアドレスが割り振られており、センター装置ＰＣの記憶手段（図示せず）には、電気錠３のアドレスに対応させた、入退室扉Ｄｖに設けられた電気錠３を解錠するための暗証番号のテーブルが、格納されている。そして、センター装置ＰＣの外部入力手段Ｋｙより、テーブルの電気錠３の各々を解錠する暗証番号を入力、設定、変更できるようになっている。
【０１０７】
部屋Ｒ４では、電気錠解錠手段２ｂとして、複数の操作キー（暗証キー）を備えるものを用いている。尚、電気錠解錠手段２ｂの構成は、図３に示す電気錠解錠手段２と同様であるので、以下の説明では、相当する部材装置については相当する参照符号を用いて説明し、ここでは、説明を容易とするため、電気錠解錠手段２ｂの説明は省略する。
【０１０８】
次に、部屋Ｒ４のベランダＶへの入退出の動作手順について説明する。この部屋Ｒ４に設けられたベランダＶに出るためには、入退室扉Ｄｖの電気錠３を、部屋Ｒ４の内側の操作で、解錠状態にし、入退室扉Ｄｖを開けることができるようにする必要がある。図１１は、部屋Ｒ４のベランダ用の入退出扉Ｄｖの室内側で行う開閉操作手順を概略的に説明するフローチャートである。
【０１０９】
この部屋Ｒ４では、入退出扉Ｄｖに、図２に示すノブＫｏ及びノブＫｉが設けられている。そして、入退室扉Ｄｖが閉じた状態にされている時には、電気錠３が自動的に施錠（オートロック）するようにされており、部屋Ｒ４内のノブＫｉを操作するだけでは、入退室扉Ｄｖの電気錠３を解錠状態にすることができないようになっている。
【０１１０】
この部屋Ｒ４の入退室扉Ｄｖの電気錠３を、部屋Ｒ４の内側の操作で、解錠状態にし、入退室扉Ｄｖを開けることができるようにするためには、まず、ステップＳｄ１において、看護人等は、部屋Ｒ４の内側に設けられた電気錠解錠手段２ｂの複数の操作キー（暗証キー）２１、２２、２３、２４を操作する。操作キー（暗証キー）２１、２２、２３、２４の入力操作によって入力された暗証番号は、通信回線Ｌを介して、センター装置ＰＣに送られ、センター装置ＰＣの記憶手段に予め記憶されている部屋Ｒ４の入退室扉Ｄｖの電気錠３を解錠する暗証番号と比較される（ステップＳｄ２を参照）。
【０１１１】
そして、電気錠解錠手段２ｂの複数の操作キー（暗証キー）２１、２２、２３、２４の入力操作によって入力した暗証番号が、部屋Ｒ４の入退室扉Ｄｖに設けられた電気錠３を解錠する暗証番号と一致した時に、部屋Ｒ４の入退室扉Ｄｖに設けられた電気錠３が解錠するようにされている（ステップＳｄ３を参照）。他方、操作キー（暗証キー）２１、２２、２３、２４の入力操作が、部屋Ｒ４のベランダ用の入退室扉Ｄｖに設けられた電気錠３を解錠する暗証番号と不一致の場合には、電気錠解錠手段２ｂの近傍に設けられたエラー表示ランプ（図示せず）が所定時間点灯し、この場合には、電気錠３が施錠状態のまま保持されるので、部屋Ｒ４の入退室扉Ｄｖを開けることができないようにしている（ステップＳｄ４を参照）。
【０１１２】
尚、ここでは、操作キー（暗証キー）２１、２２、２３、２４の入力操作が、部屋Ｒ４の入退室扉Ｄｖに設けられた電気錠３を解錠する暗証番号と不一致の場合に、エラー表示ランプ（図示せず）が所定時間点灯するようにした例について説明したが、エラー表示ランプ（図示せず）は、特に無くてもよいものであり、また、操作キー（暗証キー）２１、２２、２３、２４の入力操作が、部屋Ｒ４の入退室扉Ｄｖに設けられた電気錠３を解錠する暗証番号と不一致の場合に、エラー表示する手段は、何も、エラー表示ランプ（図示せず）に限られることはなく、例えば、電気錠解錠手段２ｂ内に内蔵スピーカ（図示せず）を設け、内蔵スピーカ（図示せず）から、例えば、「プー」というエラー音がでるようにしてもよい。
【０１１３】
更に、この例では、ステップＳｄ３において、電気錠３が解錠状態になると同時に、ステップＳｄ５に示すように、タイマーがスタートするようになっている。そして、ステップＳｄ６において、ベランダ用の入退室扉Ｄｖの開閉があれば、ベランダＶに、看護人等や入居者等が出たと判断し、タイマーをキャンセルする（ステップＳｄ７を参照）。
【０１１４】
ここで、ベランダＶ用の入退室扉Ｄｖは、他の入退室扉Ｄと異なり、入退室扉Ｄｖが閉じられた状態に戻っても、電気錠３が解錠状態に保持される点に、特に特徴がある。即ち、ベランダＶ用の入退室扉Ｄｖは、閉じられた状態にされても、電気錠３は、自動的に施錠状態にされるのではなく、看護人等が、入退室扉Ｄｖを開閉して、ベランダＶから部屋Ｒ４内に戻り、部屋Ｒ４内に設けられた電気錠解錠手段２ｂの複数の操作キー（暗証キー）２１、２２、２３、２４を正しく操作し、この入力操作によって入力された暗証番号が、入退室扉Ｄｖの電気錠３を施錠するための暗証番号として、センター装置ＰＣに予め記憶させた暗証番号と一致した時（ステップＳｄ８、ステップＳｄ１０及びステップＳｄ１１を参照）に初めて、入退室扉Ｄｖに設けられた電気錠３が施錠状態にされ、これにより、部屋Ｒ４内の入退室扉ＤｖのノブＫｉや、部屋Ｒ４のベランダＶ側のノブＫｏを操作するだけでは、入退室扉Ｄｖが開かないようにしている（ステップＳｄ１２を参照）。
【０１１５】
一方、ステップＳｄ３において、入退室扉Ｄｖに設けられた電気錠３が解錠し、ステップＳｄ５に示すように、タイマーがスタートしても、所定時間（この例では、１０秒間にしている）経過しても、入退室扉Ｄｖが開けられない場合には、再び、電気錠３を施錠状態にするようにしている（ステップＳｄ９を参照）。また、ステップＳｄ１１において、電気錠解錠手段２ｂの複数の操作キー（暗証キー）２１、２２、２３、２４の操作が、入退室扉Ｄｖの電気錠３を施錠するための暗証番号と不一致の場合には、電気錠解錠手段２ｂの近傍に設けられたエラー表示ランプ（図示せず）が所定時間点灯し、この場合には、電気錠３が解錠状態のまま保持される（ステップＳｄ１３を参照）。
【０１１６】
尚、ここでは、操作キー（暗証キー）２１、２２、２３、２４の入力操作が、入退室扉Ｄｖに設けられた電気錠３を施錠する暗証番号と不一致の場合に、エラー表示ランプ（図示せず）が所定時間点灯するようにした例について説明したが、エラー表示ランプ（図示せず）は、特に無くてもよいものであり、また、操作キー（暗証キー）２１、２２、２３、２４の入力操作が、入退室扉Ｄｖに設けられた電気錠３を施錠する暗証番号と不一致の場合に、エラーを表示する手段は、何も、エラー表示ランプ（図示せず）に限られることはなく、例えば、電気錠解錠手段２ｂ内に内蔵スピーカ（図示せず）を設け、内蔵スピーカ（図示せず）から、例えば、「プー」というエラー音がでるようにしてもよい。
【０１１７】
この入退室管理システム１では、部屋Ｒ４に付設されているベランダＶ用の入退室扉Ｄｖに設けられた電気錠３を解錠する電気錠解錠手段２ｂを部屋Ｒ４内に設け、電気錠解錠手段２ｂの複数の操作キー（暗証キー）２１、２２、２３、２４を適宜操作して、複数の操作キー（暗証キー）２１、２２、２３、２４の入力操作によって入力された暗証番号が、部屋Ｒ４のベランダＶ用の入退室扉Ｄｖに設けられた電気錠を解錠する暗証番号と一致した時に、ベランダ用の入退室扉Ｄｖに設けられた電気錠３が解錠するようにされている。
【０１１８】
そして、ベランダ用の入退室扉Ｄｖは、ただ単に、閉じられただけでは、電気錠３が施錠状態にならず、入退室扉Ｄｖを閉じた状態にし、更に、部屋Ｒ４内に設けられた電気錠解錠手段２ｂを正しく操作した場合に、電気錠３が施錠状態になるようにされている。尚、この場合には、センター装置ＰＣの記憶手段に、電気錠解錠手段２ｂを解錠するための暗証番号と、施錠するための暗証番号とを、記憶させるようにする。
【０１１９】
このように、入退室管理システム１では、ベランダＶ用の入退室扉Ｄｖに電気錠３を設けるとともに、この電気錠３を解錠する電気錠解錠手段２ｂを部屋Ｒ４内に設け、電気錠解錠手段２ｂが正しく操作されないと、ベランダＶ用の入退室扉Ｄｖの電気錠３を施錠することができないようにしているので、看護人等が、ある入居者等に、日光浴をさせようとして、ベランダＶに、入居者等とともに、出ている間に、他の入居者等がベランダＶに通じる入退出扉Ｄｖに錠を掛けてしまう、といったような事態が生じない。これにより、看護人等が、助けがくるまで、入居者等とともに、ベランダＶに放置されてしまう、といった問題が生ぜず、看護人等の業務に支障が生じることがなくなるため、より円滑な入居者等のケアができるようになる。
【０１２０】
次に、この入退室管理装置１に設けられることのある、エレベータの構成について説明する。図１には、エレベータの各階毎に設置される外扉１４が示されている。尚、１５で示す部材装置は、エレベータの呼出釦を示しており、呼出釦１５を押し操作すれば、エレベータの客室が、呼出釦１５を押し操作された階にきた時に、外扉１４が開き、エレベータの客室に人が乗り込むことができるようになっている。
【０１２１】
以上の構成は、通常のエレベータの構成と同様であるが、このエレベータには、新たに、各階毎に設置される外扉１４には、電気錠３が設けられ、且つ、エレベータの各階毎に設置される呼出釦１５の近傍に、更に、外扉１４に設けられた電気錠３を解錠するための電気錠解錠手段２ｃが設けられている。外扉１４に設けられた電気錠３、及び、電気錠解錠手段２ｃは、図１に示すように、中継器１３を介して、通信回線Ｌに接続されており、センター装置ＰＣ、電気錠３、及び、電気錠解錠手段２ｃとの間で、相互に信号のやりとりができるようになっている。
【０１２２】
電気錠３、及び、電気錠解錠手段２ｃには、各々、固有のアドレスが割り振られており、センター装置ＰＣの記憶手段（図示せず）には、電気錠３のアドレスに対応させた、エレベータの外扉１４に設けられた電気錠３を解錠するための暗証番号のテーブルが、格納されている。そして、センター装置ＰＣの外部入力手段Ｋｙより、テーブルの電気錠３の各々を解錠する暗証番号を入力、設定、変更できるようになっている。
【０１２３】
尚、電気錠解錠手段２ｃの構成は、図３に示す電気錠解錠手段２と同様であるので、以下の説明では、相当する部材装置については相当する参照符号を用いて説明し、ここでは、説明を容易とするため、電気錠解錠手段２ｃの説明は省略する。図１２は、エレベータの各階毎に設けられる外扉１４の開閉操作手順の一例を概略的に説明するフローチャートである。
【０１２４】
この入退室管理システム１では、まず、ステップＳｅ１において、電気錠解錠手段２ｃの複数の操作キー（暗証キー）２１、２２、２３、２４を適宜操作する。電気錠解錠手段２ｃの操作キー（暗証キー）２１、２２、２３、２４の入力操作は、通信回線Ｌを介して、センター装置ＰＣに送られ、センター装置ＰＣの記憶手段に予め記憶されている、エレベータの各階毎に設けられる外扉１４の電気錠３を解錠する暗証番号と比較される（ステップＳｅ２を参照）。
【０１２５】
そして、電気錠解錠手段２ｃの複数の操作キー（暗証キー）２１、２２、２３、２４の入力操作によって入力された暗証番号が、エレベータの各階毎に設けられる外扉１４の電気錠３を解錠する暗証番号と一致した時に、電気錠３が解錠状態になり（ステップＳｅ３を参照）、エレベータの各階毎に設けられるエレベータの呼出釦１５の呼出しが可能なようにされている（ステップＳｅ４を参照）。
【０１２６】
この例では、エレベータの呼出釦１５の呼出しが可能なようにされると同時に、タイマーがスタートするようにされている（ステップＳｅ５を参照）。そして、所定時間（この例では、１０秒間）以内に呼出釦１５が押し操作されると、タイマーがキャンセルされ（ステップＳｅ６及びステップＳｅ７を参照）、この場合には、呼出釦１５の押し操作は有効とされ、エレベータの客室が、呼出釦１５が押し操作された階にきた時に、外扉１４が開き、エレベータの客室に人が乗り込むことができるようになっている（ステップＳｅ８を参照）。
【０１２７】
そして、外扉１４が開いた後、再び、閉じられた状態になったときに、自動的に、外扉１４に設けられた電気錠３が施錠（オートロック）するようにしている（ステップＳｅ９を参照）。他方、ステップＳｅ２において、センター装置ＰＣに送られた電気錠解錠手段２ｃの操作キー（暗証キー）２１、２２、２３、２４の入力操作が、エレベータの各階毎に設けられる外扉１４の電気錠３を解錠する暗証番号と不一致の場合には、電気錠３は施錠状態に保持され、且つ、エレベータの呼出釦１５による呼出しができないようにされている。
【０１２８】
この例では、この場合には、電気錠解錠手段２ｃの近傍に設けられたエラー表示ランプ（図示せず）が所定時間点灯するようにしている（ステップＳｅ１０を参照）。尚、ここでは、電気錠解錠手段２ｃの操作キー（暗証キー）２１、２２、２３、２４の入力操作が、エレベータの外扉１４に設けられた電気錠３を解錠する暗証番号と不一致の場合に、エラー表示ランプ（図示せず）が所定時間点灯するようにした例について説明したが、エラー表示ランプ（図示せず）は、特に無くてもよいものであり、また、操作キー（暗証キー）２１、２２、２３、２４の入力操作が、エレベータの外扉１４に設けられた電気錠３を解錠する暗証番号と不一致の場合に、エラー表示する手段は、何も、エラー表示ランプ（図示せず）に限られることはなく、例えば、電気錠解錠手段２ｃ内に内蔵スピーカ（図示せず）を設け、内蔵スピーカ（図示せず）から、例えば、「プー」というエラー音がでるようにしてもよい。
【０１２９】
更に、この例では、ステップＳｅ１１において、エレベータの呼出釦１５の呼出しが可能なようにされ、タイマーがスタートしてから、所定時間（この例では、１０秒間）経過しても、呼出釦１５が押し操作されない場合には、電気錠３を施錠状態にし、且つ、エレベータの呼出釦１５の呼出しができないようにしている。
【０１３０】
この入退室管理システム１では、エレベータの各階毎に設けられる外扉１４の各々に電気錠３を付設するとともに、エレベータの各階毎に設けられる外扉１４の各々に設けられた電気錠３を解錠する電気錠解錠手段２ｃとして、複数の操作キー（暗証キー）２１、２２、２３、２４を備えるものを設けている。これにより、エレベータの各階毎に設けられる外扉１４の各々に設けられた電気錠３を解錠状態にできる者は、電気錠解錠手段２ｃの複数の操作キー（暗証キー）２１、２２、２３、２４の正しい操作方法を知っている者（例えば、看護人等）に限られるので、入居者等がエレベータの呼出釦１５を押し操作して、エレベータの客室に乗り込んで、別の階へ移動したり、場合によっては、老人養護施設から外に出ていって、行方不明になったり、交通事故に遭うといったような、ゆゆしき事態が発生しない。
【０１３１】
更に、この入退室管理システム１では、電気錠解錠手段２ｃが正しく操作され、エレベータの外扉１４に設けられた電気錠３を解錠する暗証番号と一致した場合に、いつまでも、電気錠３を解錠したままにするのではなく、電気錠３が解錠されてから所定の時間内に、電気錠３を再び施錠するようにしているので、所定時間（この例では、１０秒間）が経過後は、第三者がエレベータの客室に入ることがないようにしている。これにより、入居者等が、エレベータの客室に乗って、他の階に行ってしまう、といったような事故が発生するのを未然に防止できる。
【０１３２】
図１３は、エレベータの各階毎に設けられる外扉１４の開閉操作手順の他の一例を概略的に説明するフローチャートである。この入退室管理システム１では、まず、ステップＳｆ１において、呼出釦１５を押し操作すれば、エレベータの客室を呼出釦１５が押し操作された階に呼び出すことができるようにされている。
【０１３３】
しかしながら、この状態では、エレベータの各階に設けられる外扉１４に設けられた電気錠３は施錠状態のままであるので、エレベータの客室が、呼出釦１５が押し操作された階にきても、外扉１４が開かないようにしている。即ち、この入退室管理システム１では、エレベータの各階に設けられる外扉１４に設けられた電気錠３を解錠するには、呼出釦１５を押し操作するとともに、電気錠解錠手段２ｃの複数の操作キー（暗証キー）２１、２２、２３、２４を適宜操作しなければならないようにしている。
【０１３４】
ステップＳｆ１において、呼出釦１５を押し操作した後、電気錠解錠手段２ｃの複数の操作キー（暗証キー）２１、２２、２３、２４を操作すると、電気錠解錠手段２ｃの操作キー（暗証キー）２１、２２、２３、２４の入力操作によって入力された暗証番号は、通信回線Ｌを介して、センター装置ＰＣに送られ、センター装置ＰＣの記憶手段に予め記憶されている、操作された電気錠解錠手段２ｃに対応するエレベータの外扉１４の電気錠３を解錠する暗証番号と比較される（ステップＳｆ２及びステップＳｆ３を参照）。
【０１３５】
そして、電気錠解錠手段２ｃの複数の操作キー（暗証キー）２１、２２、２３、２４の入力操作によって入力された暗証番号が、エレベータの各階毎に設けられる外扉１４の電気錠３を解錠する暗証番号と一致した場合には、電気錠３が解錠状態になる（ステップＳｆ４を参照）。そして、この場合には、エレベータの客室が、呼出釦１５が押し操作された階にきた時に、外扉１４が開き、エレベータの客室に人が乗り込むことができるようになっており、外扉１４が再び閉じられると、外扉１４に設けられた電気錠３が、自動的に施錠（オートロック）するようになっている（ステップＳｆ５及びステップＳｆ６を参照）。
【０１３６】
他方、ステップＳｆ３において、センター装置ＰＣに送られた電気錠解錠手段２ｃの操作キー（暗証キー）２１、２２、２３、２４の入力操作が、エレベータの各階毎に設けられる外扉１４の電気錠３を解錠する暗証番号と不一致の場合には、電気錠３は施錠状態に保持され、且つ、エレベータの客室が呼出釦１５が操作された階に来ても、外扉１４が開かないようにされている。
【０１３７】
また、ステップＳｆ１において、エレベータの呼出釦１５が押された後、所定時間（この例では、１０秒間）経過しても、電気錠解錠手段２ｃの操作キー（暗証キー）２１、２２、２３、２４の入力操作が行われない場合も、電気錠３は施錠状態に保持され、且つ、エレベータの客室が呼出釦１５が操作された階に来ても、外扉１４が開かないようにされている（ステップＳｆ７を参照）。
【０１３８】
この入退室管理システム１でも、エレベータの各階毎に設けられる外扉１４の各々に電気錠３を付設するとともに、エレベータの各階毎に設けられる外扉１４の各々に設けられた電気錠３を解錠する電気錠解錠手段２ｃとして、複数の操作キー（暗証キー）２１、２２、２３、２４を備えるものを設けている。これにより、エレベータの各階毎に設けられる外扉１４の各々に設けられた電気錠３を解錠状態にできる者は、電気錠解錠手段２ｃの複数の操作キー（暗証キー）２１、２２、２３、２４の正しい操作方法を知っている者（例えば、看護人等）に限られるので、入居者等が、エレベータの呼出釦１５を押し操作して、エレベータの客室に乗り込んで、別の階へ移動したり、場合によっては、老人養護施設から、外に勝手に出ていって、行方不明になったり、交通事故に遭うといったような、ゆゆしき事態が発生しない。
【０１３９】
また、この入退室管理システム１では、図１に示したように、センター装置ＰＣを、火災受信機１１に接続している。図１４は、この老人介護施設に火災等が発生した場合の、入退室管理システム１の動作を概略的に示すフローチャートである。火災感知器１２、・・・、１２のいずれかが、火災を検知して発報すると、火災受信機１１は、火災警報を発令する。
【０１４０】
この例では、火災受信機１１が発令した火災警報は、センター装置ＰＣにも送信すされるようになっている。センター装置ＰＣは、火災受信機１１から発令された火災警報を受信すると（ステップＳｇ１を参照）、各部屋Ｒ１、Ｒ２、Ｒ３、Ｒ４の全ての入退室扉Ｄ、Ｄ、Ｄ、Ｄの各々に設けられた電気錠３、３、３、３の各々に対して、強制解錠信号を出力するようにされている。
【０１４１】
また、この部屋Ｒ４のベランダＶ用の入退室扉Ｄｖに設けられた電気錠３や、各階毎に設けられるエレベータの外扉１４に設けられた電気錠３の各々に対して、強制解錠信号を出力するようにされている（ステップＳｇ２及びステップＳｇ３を参照）。したがって、この入退室管理システム１では、火災等の緊急事態には、各部屋Ｒ１、Ｒ２、Ｒ３、Ｒ４の外側のノブＫｏ、・・・や、部屋Ｒ１、Ｒ２、Ｒ３、Ｒ４の内側のノブＫｉ、・・・を回すだけで、部屋Ｒ１、Ｒ２、Ｒ３、Ｒ４内に居る人が、部屋Ｒ１、Ｒ２、Ｒ３、Ｒ４外に、自由にでられるようにしているので、部屋Ｒ１、Ｒ２、Ｒ３、Ｒ４内に、入居者等や看護人等が取り残されるといった虞れが一切生じない。
【０１４２】
更に、この入退室管理システム１では、図１に示したように、センター装置ＰＣを、看護人等の呼出しに使用する呼出機（この例では、構内交換機（ＰＢＸ））６に接続している。そして、この入退室管理システム１では、看護人等に持たせる携帯電話やポケットベルの電話番号を予めセンター装置ＰＣの記憶手段に記憶させておく、緊急事態が発生した際には、自動的に、センター装置ＰＣから、看護人等の携帯電話（ＰＨＳ）やポケットベルを、呼び出すことにより、看護人等を呼び出しすることができるようにしている。
【０１４３】
尚、この発明の実施の形態に示す入退室管理システム１は、あくまでも、モデルケースであり、実際には、老人養護施設に導入される際には導入する老人養護施設に応じて、種々のオプションがある。そのような入退室管理システムのオプションとしては、例えば、複数の病室のいずれもが、部屋Ｒ１のタイプで構成されるもの、部屋Ｒ２のタイプで構成されるもの、部屋Ｒ３のタイプで構成されるもの、部屋Ｒ４のタイプで構成されるものが考えられる。
【０１４４】
また、例えば、複数の病室が、部屋Ｒ１のタイプ、部屋Ｒ２のタイプ、部屋Ｒ３のタイプ及び部屋Ｒ４のタイプの少なくとも２つのタイプの組合せで構成されるものが考えられる。また、この例では、エレベータを設けた例について説明したが、エレベータは、この入退室管理システムにあっては、必須の装置ではなく、エレベータは、あってもなくてもよい。
【０１４５】
更に、この例では、エレベータの各階に設けられる外扉１４に電気錠３を設け、且つ、エレベータの呼出釦１５の側に、電気錠解錠手段２ｃを設けた例について説明したが、この入退室管理システムに、エレベータを含ませる際には、通常のエレベータを含ませるようにしてもよい。更に、この例では、センター装置ＰＣを、看護人等の呼出しに使用する呼出機６に接続した例について説明したが、呼出機６は、必ずしも、必須の構成ではない。
【０１４６】
また、部屋Ｒ４として、入退室扉Ｄ側の構成として、部屋Ｒ１のタイプと同様のものが採用された例について説明したが、これは、単に例示であって、部屋Ｒ４のタイプの入退室扉Ｄ側の構成は、部屋Ｒ１のタイプに限られず、部屋Ｒ２のタイプや、部屋Ｒ３のタイプであってもよい。更にまた、この例では、部屋Ｒ１、Ｒ２、Ｒ３、Ｒ４について説明したが、本発明に係る入退室管理システムは、階段室等にも適用可能である。
【０１４７】
尚、階段室に適用する場合は、その階の廊下側を、室内側にして、階と階とをつなぐ階段がある側の部屋を室外側として、本発明に係る入退室管理システムを適用する。また、この発明の実施の形態では、老人養護施設に本発明に係る入退室管理システムを適用した例について説明したが、本発明に係る入退室管理システムは、正常生活をするのに介護が必要とされる、例えば、精神病院等の種々の知的障害者収容施設等に好ましく適用できる。
【０１４８】
【発明の効果】
請求項１に記載の入退室管理システムでは、各室の電気錠の各々を解錠するための暗証番号を、センター装置で設定できるようにしているので、センター装置側で、各室の電気錠の各々を解錠するための暗証番号を、変更することができる。これにより、電気錠の各々を解錠するための、ある暗証番号を入居者等が覚え、看護人等が知らない間に、部屋から出て行くといった事態が頻発するようになれば、電気錠の各々を解錠するための暗証番号を他の暗証番号に変えることで、入居者等が、看護人等が知らない間に、部屋から出てしまうといった事態が発生するのを防止することができる。
【０１４９】
また、この入退室管理システムでは、電気錠解錠手段の各々の複数の操作キーの１個の操作キーを確定キーとしているので、電気錠解錠手段の各々の複数の操作キーから入力された暗証番号の最初から最後までを、センター装置で容易に識別できる。これにより、センター装置側で、容易に、電気錠解錠手段の各々の複数の操作キーが正しく押されたか、押されなかったかを、判別できるので、そのような正しい判別結果に基づいて、各室の入退室扉の各々に設けられた電気錠を解錠を制御することで、エラーの少ない、入退室管理システムを簡単に導入できる。
【０１５０】
さらに、センター装置により、入居者等に知られることなく、電気錠解錠手段の各々の複数の操作キーの中、確定キーを、センター装置により、任意に選択できるようにしているので、センター装置側で、確定キーを、変更することができる。これにより、電気錠の各々を解錠するための、ある暗証番号を入居者等が覚え、看護人等が知らない間に、部屋からから出ていってしまうといった事態が頻発するようになれば、確定キーを、変更することで、暗証番号を入居者等に判らないようにすることで、看護人等が知らない間に、入居者等が部屋から出ていってしまうといった事態が発生するのを防止することができる。
【０１５１】
請求項２に記載の入退室管理システムでは、センター装置が、火災受信機から発令された火災警報を受信すると、各室の入退室扉の各々に設けられた電気錠の各々に対して、強制解錠信号を出力するようにしているので、火災等の緊急事態には、室内側の、例えば、ノブを回すだけで、室外にでられるので、室内に、入居者等や看護人等が取り残されるといった虞れが、一切生じない。
【０１５２】
請求項３に記載の入退室管理システムでは、看護人等の呼出しに使用する呼出機を更に接続しているので、緊急事態等が発生した場合に、呼出機を通じて，看護人等を呼び出しすることができる。
【０１５３】
請求項４に記載の入退室管理システムでは、電気錠解錠手段の複数の操作スイッチの入力操作によって入力された暗証番号が、各室の入退室扉の各々に設けられた電気錠を解錠する暗証番号と一致した場合に、いつまでも、電気錠を解錠したままにするのではなく、電気錠が解錠されてから所定の時間内に、電気錠を再び施錠するようにしているので、所定時間が経過後は、室内側の入居者等が、看護人等が知らない間に、部屋から出て行けなくなる。これにより、入居者等が、部屋からでてしまい、行方不明になったり、事故に遭うといったような、ゆゆしき事態が発生するのを防止することができる。
【０１５４】
請求項５に記載の入退室管理システムでは、室外側より、各室の入退室扉の各々に設けられた電気錠を解錠する電気錠解錠手段を設けている。これにより、室内に入ることができる者は、室外側に設けられた電気錠解錠手段の正しい操作を知っている者（例えば、看護人等）に限られるので、泥棒等が、室内に不法に侵入することがない。これにより、入居者等の安全性が保証される。
【０１５５】
また、室外側より、室内に入ることができる者は、室外側に設けられた電気錠解錠手段の正しい操作を知っている者（例えば、看護人等）に限られるので、入居者等のプライバシーも保証される。
【０１５６】
請求項６に記載の入退室管理システムでは、室外側に設けられる電気錠解錠手段として、磁気カードを読み取るカードリーダを設けている。
【０１５７】
これにより、室内に入ることができる者は、正しい磁気カードを持っている者（例えば、看護人等）に限られるので、泥棒等が、室内に不法に侵入することがない。これにより、入居者等の安全性が保証される。また、室外側より、室内に入ることができる者は、正しい磁気カードを持っている者（例えば、看護人等）に限られるので、入居者等のプライバシーも保証される。
【０１５８】
請求項７に記載の入退室管理システムでは、室外側に設けられる電気錠解錠手段として、複数の操作キーを備えものを設けている。これにより、室内に入ることができる者は、複数の操作キーの正しい操作方法を知っている者（例えば、看護人等）に限られるので、泥棒等が、室内に不法に侵入することがない。これにより、入居者等の安全性が保証される。
【０１５９】
また、室外側より、室内に入ることができる者は、複数の操作キーの正しい操作方法を知っている者（例えば、看護人等）に限られるので、入居者等のプライバシーも保証される。
【図面の簡単な説明】
【図１】本発明に係る入退室管理システムを模式的に示すブロック図である。
【図２】図１に示す老人介護施設のある部屋の入退出扉の周辺の外観構成を模式的に示す説明図であり、図２（ａ）は、ある部屋の入退出扉の周辺を室外から見た状態を示す説明図であり、また、図２（ｂ）は、ある部屋の入退出扉の周辺を室内から見た状態を示す説明図である。
【図３】図２に示す電気錠解錠手段を拡大して模式的に示す外観構成図である。
【図４】図２に示す電気錠解錠手段の暗証番号を設定するモードを例示的に説明する説明図である。
【図５】図４に示す電気錠の暗証番号の組合せの中、モード３を更に詳しく説明する説明図である。
【図６】図２に示す、ある部屋の入退出扉の開閉操作手順を概略的に説明するフローチャートである。
【図７】図１に示す老人介護施設のある部屋の入退出扉の周辺の外観構成を模式的に示す説明図であり、図７（ａ）は、ある部屋の入退出扉の周辺を室外から見た状態を示す説明図であり、また、図７（ｂ）は、ある部屋の入退出扉の周辺を室内から見た状態を示す説明図である。
【図８】図７に示す、ある部屋の入退出扉の室外側の開閉操作手順を概略的に説明するフローチャートである。
【図９】図１に示す老人介護施設のある部屋の入退出扉の周辺の外観構成を模式的に示す説明図であり、図９（ａ）は、ある部屋の入退出扉の周辺を室外から見た状態を示す説明図であり、また、図９（ｂ）は、ある部屋の入退出扉の周辺を室内から見た状態を示す説明図である。
【図１０】図９に示す、ある部屋の入退出扉の室外側の開閉操作手順を概略的に説明するフローチャートである。
【図１１】図１に示す老人介護施設のある部屋（ベランダ付き）のベランダ用の入退出扉の開閉操作手順を概略的に説明するフローチャートである。
【図１２】図１に示す老人介護施設のエレベータの各階毎に設けられる外扉の開閉操作手順の一例を概略的に説明するフローチャートである。
【図１３】図１に示す老人介護施設のエレベータの各階毎に設けられる外扉の開閉操作手順の他の一例を概略的に説明するフローチャートである。
【図１４】図１に示す老人介護施設に火災等が発生した場合の、入退室管理システムの動作を概略的に示すフローチャートである。
【図１５】従来の入退室管理システムの一例を模式的に示すブロック図である。
【図１６】図１５に示す従来の入退室管理システムが導入された、ある部屋の入退出扉の周辺の外観構成を模式的に示す説明図であり、図１６（ａ）は、ある部屋の入退出扉の周辺を室外から見た状態を示す説明図であり、また、図１６（ｂ）は、ある部屋の入退出扉の周辺を室内から見た状態を示す説明図である。
【符号の説明】
１  入退室管理システム
２、２ａ、２ｂ、２ｃ  電気錠解錠手段
３  電気錠
５  カードリーダ
１１  火災受信機
１２  火災感知器
１４  エレベータの外扉
１５  エレベータの呼出釦
２１、２２、２３、２４  操作キー（暗証キー）
Ｄ  入退室扉
Ｄｖ  ベランダ用の入退室扉
ＰＣ  パソコン（センター装置）
Ｒ１、Ｒ２、Ｒ３、Ｒ４  部屋
Ｖ  ベランダ
【図１】
0004006822.tif 000003
【図２】
0004006822.tif 000004
【図３】
0004006822.tif 000005
【図４】
0004006822.tif 000006
【図５】
0004006822.tif 000007
【図６】
0004006822.tif 000008
【図７】
0004006822.tif 000009
【図８】
0004006822.tif 000010
【図９】
0004006822.tif 000011
【図１０】
0004006822.tif 000012
【図１１】
0004006822.tif 000013
【図１２】
0004006822.tif 000014
【図１３】
0004006822.tif 000015
【図１４】
0004006822.tif 000016
【図１５】
0004006822.tif 000017
【図１６】
0004006822.tif 000018